(57)【特許請求の範囲】
【請求項１】
中心導体（３Ａ、３Ｂ）の外周に絶縁体（５Ａ、５Ｂ）を設けた一対の信号線（７Ａ 、７Ｂ）と、この一対の信号線（７Ａ、７Ｂ）の間に位置して、一対の信号線（７Ａ 、７Ｂ）の外周に接し、かつ各絶縁体（５Ａ、５Ｂ）の長手方向に前記一対の信号線（７Ａ 、７Ｂ）と撚られることなく常に平行に配置されたドレン線（９）との外周の一部を接するべく囲包した外部導体（１１）とからなる伝送ケーブル（１）であって、
厚さ（ｒ）が前記絶縁体（５Ａ、５Ｂ）の径（Ｒ）と同等もしくはそれ以下（ｒ≦Ｒ）の基板（１３）に対して、前記一対の信号線（７Ａ）と信号線（７Ｂ）とが前記基板（１３）の厚み中心に対して線対称的に両側に配置されており、口出しされた前記各中心導体（３Ａ、３Ｂ）を前記基 板（１３）の両面同一位置に接合すべく、前記各中心導体（３Ａ、３Ｂ）の先端部分が前記基板（１３）の上下両面側へ向けて屈曲されて各中心導体（３Ａ、３Ｂ）の先端部分の位置の高さ（Ｒ１）が絶縁体（５Ａ、５Ｂ）の径（Ｒ）より高く（Ｒ≦Ｒ１）して、前記先端部分が線対称的に上下両面に同位置において接合されていることを特徴とする伝送ケーブル。
【請求項２】
前記屈曲された先端面の形状が平板状であることを特徴とする請求項１記載の伝送ケーブル。
【発明の詳細な説明】
【０００１】
【発明の属する技術分野】
この発明は、各種通信機器やコンピュータ等の大型機器の内部配線等に使用される伝送ケーブルに関する。
【０００２】
【従来の技術】
従来、各種通信機器やコンピュータ等の大型機器の内部配線等に使用される伝送ケーブル１としては、例えば図４に示されているように、中心導体３Ａ、３Ｂの外周に絶縁体５Ａ、５Ｂを設けた一対の信号線７Ａ、７Ｂとこの一対の信号線７Ａ、７Ｂの間に位置して、一対の信号線７Ａ、７Ｂの各絶縁体５Ａ、５Ｂの外周に接し、かつ各絶縁体５Ａ、５Ｂの長手方向に前記一対の信号線（７Ａ 、７Ｂ）と撚られることなく常に平行に配置されたドレン線９との外周の一部を接するべくを囲包した例えばアルミマイラーからなる外部導体１１で構成されている。この伝送ケーブル１の一対の信号線７Ａと信号線７Ｂとが例えば図５（Ａ）および（Ｂ）に示されているように、基板１３の上下両側に適宜な間隔で複数各絶縁体５Ａ、５Ｂの長手方向に平行に配置されている場合には、各中心導体３Ａ、３Ｂは前記基板１３に設けられた端子１５に半田付けまたは溶接により接合されると共に各ドレン線９の一端は前記基板１３に半田付けまたは溶接により接合されて使用されるようになっている。
【０００３】
【発明が解決しようとする課題】
ところで、上述した従来の伝送ケーブル１を、例えば図６に示されているように、クロストークなど伝送特性を考えて基板１３の付近まで絶縁体５Ａ、５Ｂを持ってきたときに、絶縁体５Ａ、５Ｂの径Ｒが基板１３の厚さｒより大きいと前記基板１３の上下両面の端子１５に、上下の中心導体３Ａ、３Ｂを半田付けまたは溶接により接合した場合、図７に示されているように、中心導体３Ａ、３Ｂと絶縁体５Ａ、５Ｂとの間に隙間が生じ偏心してしまう恐れがある。
【０００４】
そして、このように信号線７Ａ、７Ｂが偏心することで中心導体３Ａ、３Ｂが外部導体１１に接触する恐れがあり、中心導体３Ａ、３Ｂとドレン線９がショートしてしまう可能性がある。
【０００５】
この発明は上述の課題を解決するためになされたもので、その目的は、薄い基板の両面に同じ方向から導体を接合する際、絶縁体の径が基板の厚さより大きい場合でも、導体の偏心をさせないで、両面接合を可能にした伝送ケーブルを提供することにある。
【０００６】
【課題を解決するための手段】
上記目的を達成するために請求項１によるこの発明の伝送ケーブルは、中心導体の外周に絶縁体を設けた一対の信号線と、この一対の信号線の間に位置して、一対の信号線の外周に接し、かつ各絶縁体の長手方向に前記一対の信号線（７Ａ 、７Ｂ）と撚られることなく常に平行に配置されたドレン線との外周の一部を接するべく囲包した外部導体とからなる伝送ケーブルであって、厚さが前記絶縁体の径と同等もしくはそれ以下の基板に対して、前記一対の信号線とが前記基板の厚み中心に対して線対称的に両側に配置されており、口出しされた前記各中心導体を前記基板の両面同一位置に接合すべく、前記各中心導体の先端部分が前記基板の上下両面側へ向けて屈曲されて各中心導体の先端部分の位置の高さが絶縁体の径より高くして、前記先端部分が線対称的に上下両面に同位置において接合されていることを特徴とするものである。
【０００７】
したがって、この伝送ケーブルが一対の信号線の外周に接し、かつ各絶縁体の長手方向に前記一対の信号線（７Ａ 、７Ｂ）と撚られることなく常に平行に配置されたドレン線との外周の一部を接するべく囲包した外部導体とからなり、しかも、厚さが前記絶縁体の径と同等もしくはそれ以下の基板に対して、前記伝送ケーブルの一対の信号線が前記基板の厚み中心に対して線対称的に両側に配置されいる場合には、前記口出しされた前記各中心導体を前記基板の両面同位置に接合すべく、前記各中心導体の先端部分が前記基板の両面側へ向けて屈曲されて各中心導体の先端部分の先端位置の高さが絶縁体の径より高くして、前記先端部分が線対称的に上下両面の同位置において接合されているから、基板の厚さや絶縁体の径、両面の電線間距離に関係なく、各中心導体の偏心が抑えられる。その結果、偏心による各中心導体と外部導体との接触が防がれ、接続品の導通不良（ショート）がなくなる。また、絶縁体の口出し端面が基板に近くても偏心しないため、各中心導体の露出部分を少なくすることができてクロストークなどの伝送特性を低下させない。
【０００８】
請求項２によるこの発明の伝送ケーブルは、請求項１記載の伝送ケーブルにおいて、前記屈曲された先端面の形状が平板状であることを特徴とするものである。
【０００９】
したがって、前記屈曲された先端面の形状が平板状であるから、基板の端子に対する各中心導体の先端部が良好に接合される。
【００１０】
【発明の実施の形態】
以下、この発明の実施の形態について図面を参照して詳細に説明する。
【００１１】
この発明の実施の形態における伝送ケーブルは、従来技術の欄で図４および図（Ａ）、（Ｂ）を用いて説明したものと同じであるから、詳細な説明は重複するので省略し、図１（Ａ）、（Ｂ）に示されているように、基板１３の厚さｒが絶縁体５Ａ、５Ｂの径Ｒと同等もしくはそれ以下（ｒ≦Ｒ）の場合に、伝送ケーブル１における各中心導体３Ａ、３Ｂの先端部分が前記基板１３の上下両面側へ向けて屈曲されるようにした。すなわち、図１（Ａ）、（Ｂ）においては、Ｌ字形状に折り曲げて、折り曲げた高さＲ１を絶縁体５Ａ、５Ｂの径Ｒより高く（Ｒ≦Ｒ１）して各中心導体３Ａ、３Ｂの先端部分における先端位置が基板１３の端子１５の上下両面側で同位置に半田付けまたは溶接により接合される。
その結果、基板１３の厚さや絶縁体５Ａ、５Ｂの径Ｒ、両面の電線間距離に関係なく、各中心導体３Ａ、３Ｂの偏心を抑えることができる。而して、、偏心による各中心導体３Ａ、３Ｂと外部導体１１との接触を防ぐことができ、接続品の導通不良（ショート）をなくすることができる。また、絶縁体５Ａ、５Ｂの口出し端面が基板１３に近くても偏心しないため、各中心導体３Ａ、３Ｂの露出部分を少なくすることができてクロストークなどの伝送特性を低下させることはない。
【００１２】
また、図１（Ａ）において、各中心導体３Ａ、３Ｂの先端部分の形状は丸棒であるが、図２に示されいるように、各中心導体３Ａ、３Ｂの先端部分の形状を例えばプレスマシンなどで平板形状にすると、基板１３の端子１５に対する各中心導体３Ａ、３Ｂの先端部を良好に接合せしめることができる。
【００１３】
また、中心導体３Ａ、３Ｂの先端部分の形状は、図１、図２に示した以外に図３（Ａ）〜（Ｉ）に示したごとき種々の形状であっても構わない。
【００１４】
なお、この発明は前述した実施の形態に限定されることなく、適宜な変更を行うことによりその他の態様で実施し得るものである。
【００１５】
【発明の効果】
以上のごとき発明の実施の形態の説明から理解されるように、請求項１の発明によれば、この伝送ケーブルが一対の信号線の外周に接し、かつ各絶縁体の長手方向に前記一対の信号線（７Ａ 、７Ｂ）と撚られることなく常に平行に配置されたドレン線との外周の一部を接するべく囲包した外部導体とからなり、しかも、厚さが前記絶縁体の径と同等もしくはそれ以下の基板に対して、前記伝送ケーブルの一対の信号線が前記基板の両側に配置されいる場合には、前記口出しされた前記各中心導体を前記基板の厚み中心に対して線対称的に両面同位置に接合すべく、前記各中心導体の先端部分が前記基板の両面側へ向けて屈曲されて各中心導体の先端部分の先端位置の高さが絶縁体の径より高くして、前記先端部分が線対称的に上下両面の同位置において接合されているから、基板の厚さや絶縁体の径、両面の電線間距離に関係なく、各中心導体の偏心を抑えることができる。その結果、偏心による各中心導体と外部導体との接触を防ぐことができ、接続品の導通不良（ショート）をなくすることができる。また、絶縁体の口出し端面が基板に近くても偏心しないため、各中心導体の露出部分を少なくすることができてクロストークなどの伝送特性を低下させることはない。
【００１６】
請求項２の発明によれば、前記屈曲された先端面の形状が平板状であるから、基板の端子に対する各中心導体の先端部を良好に接合せしめることができる。
【図面の簡単な説明】
【図１】  （Ａ）はこの発明の伝送ケーブルにおける各中心導体の先端部分を基板に接合せしめる状態の斜視図、（Ｂ）は側面図である。
【図２】  図１の（Ａ）に代わる別の伝送ケーブルにおける各中心導体の先端部分を基板に接合せしめる状態の斜視図である。
【図３】  （Ａ）〜（Ｉ）は中心導体の先端部分の種々な形状を示した図である。
【図４】    伝送ケーブルの断面図である。
【図５】  従来の伝送ケーブルにおける各中心導体の先端部分を基板に接合せしめる状態の斜視図、（Ｂ）は正面図である。
【図６】  従来の伝送ケーブルにおける各中心導体の先端部分を基板に接合せしめる状態の側面図である。
【図７】  従来の伝送ケーブルにおける各中心導体の先端部分を基板に接合せしめたときに生ずる偏心状態の説明図である。
【符号の説明】
１  伝送ケーブル
３Ａ、３Ｂ  中心導体
５Ａ、５Ｂ  絶縁体
７Ａ、７Ｂ  信号線
９  ドレン線
１１  外部導体
１３  基板
１５  端子
【図１】
0003975102.tif 000002
【図２】
0003975102.tif 000003
【図３】
0003975102.tif 000004
【図４】
0003975102.tif 000005
【図５】
0003975102.tif 000006
【図６】
0003975102.tif 000007
【図７】
0003975102.tif 000008